(57)【要約】【課題】移動通信システムでＨＳ−ＰＤＳＣＨの伝送アンテナアレイを制御する装置及び方法を提供する。【解決手段】移動局が第１基地局ないし第ｋ基地局とソフトハンドオーバー状況を考慮するために、専用物理チャンネルＤＰＣＨと共存する高速物理下向き共有チャンネルを通じて高速パケットが伝送される間、伝送アンテナアレイを制御する方法において、移動局で前記第１ないし第ｋ基地局のチャンネル特性を同一に考慮して第１部分加重値を求める段階、前記第１基地局のチャンネル特性を第２ないし第ｋ基地局からのチャンネル特性よりさらに強調して第２部分加重値を求める段階、及び前記移動局への高速パケットの伝送の如何によって前記第１または第２部分加重値を切り換えて帰還情報として前記第１ないし第ｋ基地局に伝送する段階を行う。【選択図】　　　図１
2004135339.tif 000002
【特許請求の範囲】
【請求項１】
　移動局が第１基地局ないし第ｋ基地局とソフトハンドオーバーする状況を考慮するために、前記第１基地局から前記移動局に専用物理チャンネルと共存する高速物理下向き共有チャンネルのための伝送アンテナアレイを制御する装置において、前記移動局が、
　前記第１ないし第ｋ基地局のチャンネル特性を同一に考慮して第１部分加重値を求める第１部分加重値生成手段と、
　前記第１基地局のチャンネル特性を第２ないし第ｋ基地局からのチャンネル特性よりさらに強調して第２部分加重値を求める第２部分加重値生成手段と、
　前記移動局への高速パケットデータの伝送の如何によって、前記第１または第２部分加重値を切換えて帰還情報として前記第１ないし第ｋ基地局に伝送する切換部と、を含むことを特徴とする移動通信システムにおける高速物理下向き共有チャンネルの伝送アンテナアレイ制御装置。
【請求項２】
　前記切換部は、前記移動局が第１ないし第ｋ基地局とソフトハンドオーバーする場合、前記移動局への高速パケットデータの伝送の如何によって前記第１または第２部分加重値を切換えて帰還情報として第１ないし第ｋ基地局に伝送することを特徴とする請求項１に記載の移動通信システムにおける高速物理下向き共有チャンネルの伝送アンテナアレイ制御装置。
【請求項３】
　前記第１部分加重値生成手段は、前記第１ないし第ｋ基地局のチャンネル特性に対して各々内積した後に合算して第１中間値を求め、前記第１中間値と前記第１加重値情報とを利用して前記第１部分加重値を求めることを特徴とする請求項１または２に記載の移動通信システムにおける高速物理下向き共有チャンネルの伝送アンテナアレイ制御装置。
【請求項４】
　前記第２部分加重値生成手段は、前記第１基地局のチャンネル特性に第１乗算係数を、前記第２ないし第ｋ基地局のチャンネル特性に第２乗算係数を各々乗算し、乗算された第１ないし第ｋ基地局のチャンネル特性を内積した後に合算して第２中間値を求め、前記第２中間値と前記第２加重値情報とを利用して前記第２部分加重値を求めることを特徴とする請求項１または２に記載の移動通信システムにおける高速物理下向き共有チャンネルの伝送アンテナアレイ制御装置。
【請求項５】
　前記第１乗算係数は、前記第２乗算係数より大きい値であることを特徴とする請求項４に記載の移動通信システムにおける高速物理下向き共有チャンネルの伝送アンテナアレイ制御装置。
【請求項６】
　前記切換部は、前記移動局アンテナを通じて前記移動局に高速パケットデータが伝送される場合、前記第２部分加重値を選択し、前記移動局に高速パケットデータが伝送されない場合、前記第１部分加重値を選択することを特徴とする請求項１または２に記載の移動通信システムにおける高速物理下向き共有チャンネルの伝送アンテナアレイ制御装置。
【請求項７】
　前記切換部では、前記移動局で前記高速パケットデータが伝送されることを知った時点から高速パケットデータの伝送終了時点まで、前記第２部分加重値を選択することを特徴とする請求項６に記載の移動通信システムにおける高速物理下向き共有チャンネルの伝送アンテナアレイ制御装置。
【請求項８】
　前記装置は、前記アンテナから伝送される信号から検出されるパケット受信指示子から判断される前記移動局への高速パケットデータの伝送の如何によって、前記切換部を制御するパケット受信指示子検出部をさらに含むことを特徴とする請求項１または２に記載の移動通信システムにおける高速物理下向き共有チャンネルの伝送アンテナアレイ制御装置。
【請求項９】
　前記第１基地局では、ＨＳ−ＳＣＣＨ、ＤＰＣＨ、及びＨＳ−ＰＤＳＣＨ伝送が行われ、前記第２ないし第ｋ基地局各々ではＤＰＣＨ伝送が行われることを特徴とする請求項１または２に記載の移動通信システムにおける高速物理下向き共有チャンネルの伝送アンテナアレイ制御装置。
【請求項１０】
　前記第１基地局が、
　少なくとも２つ以上のアンテナよりなるアンテナ部と、
　ＨＳ−ＳＣＣＨ信号、第１拡散信号、並びに第１及び第２加重値を利用して第１及び第２加重拡散信号を生成するＨＳ−ＳＣＣＨ伝送部と、
　ＤＰＣＨ信号、第２拡散信号、並びに第１及び第２加重値を利用して第３及び第４加重拡散信号を生成するＤＰＣＨ伝送部と、
　ＨＳ−ＰＤＳＣＨ信号、第３拡散信号、並びに第１及び第２加重値を利用して第５及び第６加重拡散信号を生成するＨＳ−ＰＤＳＣＨ伝送部と、
　第１アンテナ用の共通パイロット信号、第１加重拡散信号、第３加重拡散信号及び前記第５加重拡散信号を合算して前記第１アンテナに伝達し、第２アンテナ用の共通パイロット信号、第２加重拡散信号、第４加重拡散信号及び第６加重拡散信号を合算して前記第２アンテナに伝達する合算部と、
　前記移動局から伝送された帰還情報から部分加重値情報を復号する加重値復号部と、
　前記加重値復号部で復号した部分加重値情報のうち複数の直近の部分加重値情報を組み合わせて前記第１及び第２加重値を再生する加重値再生部と、を含むことを特徴とする請求項１または２に記載の移動通信システムにおける高速物理下向き共有チャンネルの伝送アンテナアレイ制御装置。
【請求項１１】
　前記第２ないし第ｋ基地局が、
　各々少なくとも２つ以上のアンテナよりなるアンテナ部と、
　ＤＰＣＨ信号、第２拡散信号、並びに第１及び第２加重値を利用して第３及び第４加重拡散信号を生成するＤＰＣＨ伝送部と、
　第１アンテナ用の共通パイロット信号及び前記第３加重拡散信号を合算して前記第１アンテナに伝達し、第２アンテナ用の共通パイロット信号及び前記第４加重拡散信号を合算して前記第２アンテナに伝達する合算部と、
　前記移動局から伝送された帰還情報から部分加重値情報を復号する加重値復号部と、
　前記加重値復号部で復号した部分加重値情報のうち複数の直近の部分加重値情報を組み合わせて前記第１及び第２加重値を再生する加重値再生部と、を含むことを特徴とする請求項１０に記載の移動通信システムにおける高速物理下向き共有チャンネルの伝送アンテナアレイ制御装置。
【請求項１２】
　移動局が第１基地局ないし第ｋ基地局とソフトハンドオーバーする状況を考慮して前記第１基地局から前記移動局に専用物理チャンネルと共存する高速物理下向き共有チャンネルのための伝送アンテナアレイを制御する方法において、前記移動局で、
前記第１ないし第ｋ基地局のチャンネル特性を同一に考慮して第１部分加重値を求める第１部分加重値生成段階と、
　前記第１基地局のチャンネル特性を第２ないし第ｋ基地局らからのチャンネル特性よりさらに強調して第２部分加重値を求める第２部分加重値生成段階と、
　前記移動局への高速パケットデータの伝送の如何によって前記第１または第２部分加重値を切換えて帰還情報として前記第１ないし第ｋ基地局に伝送する切換段階と、を含むことを特徴とする移動通信システムで高速物理下向き共有チャンネルの伝送アンテナアレイを制御する方法。
【請求項１３】
　前記切換段階は、前記移動局が第１ないし第ｋ基地局とソフトハンドオーバーする場合、前記移動局への高速パケットデータの伝送の如何によって前記第１または第２部分加重値を切換えて帰還情報として第１ないし第ｋ基地局に伝送することを特徴とする請求項１２に記載の移動通信システムにおける高速物理下向き共有チャンネルの伝送アンテナアレイ制御方法。
【請求項１４】
　前記第１部分加重値生成段階では、前記第１ないし第ｋ基地局のチャンネル特性に対して各々内積した後に合算して第１中間値を求め、前記第１中間値と前記第１加重値情報とを利用して前記第１部分加重値を求めることを特徴とする請求項１２または１３に記載の移動通信システムで高速物理下向き共有チャンネルの伝送アンテナアレイを制御する方法。
【請求項１５】
　前記第２部分加重値生成段階では、前記第１基地局のチャンネル特性に第１乗算係数を、前記第２ないし第ｋ基地局のチャンネル特性に第２乗算係数を各々乗算し、乗算された第１ないし第ｋ基地局のチャンネル特性を内積した後に合算して第２中間値を求め、前記第２中間値と前記第２加重値情報とを利用して前記第２部分加重値を求めることを特徴とする請求項１２または１３に記載の移動通信システムで高速物理下向き共有チャンネルの伝送アンテナアレイを制御する方法。
【請求項１６】
　前記第１乗算係数は、前記第２乗算係数より大きい値であることを特徴とする請求項１５に記載の移動通信システムで高速物理下向き共有チャンネルの伝送アンテナアレイを制御する方法。
【請求項１７】
　前記切換段階では、前記移動局アンテナを通じて前記移動局に高速パケットデータが伝送される場合、前記第２部分加重値を選択し、前記移動局に高速パケットデータが伝送されない場合、前記第１部分加重値を選択することを特徴とする請求項１２または１３に記載の移動通信システムで高速物理下向き共有チャンネルの伝送アンテナアレイを制御する方法。
【請求項１８】
　前記移動局で前記高速パケットデータが伝送されることを知った時点から高速パケットデータの伝送終了時点まで、前記第２部分加重値を選択することを特徴とする請求項１７に記載の移動通信システムで高速物理下向き共有チャンネルの伝送アンテナアレイを制御する方法。
【請求項１９】
　前記第１基地局では、
　ＨＳ−ＳＣＣＨ信号、第１拡散信号、並びに第１及び第２加重値を利用して第１及び第２加重拡散信号を生成し、ＤＰＣＨ信号、第２拡散信号、並びに第１及び第２加重値を利用して第３及び第４加重拡散信号を生成し、ＨＳ−ＰＤＳＣＨ信号、第３拡散信号、及び第１及び第２加重値を利用して第５及び第６加重拡散信号を生成する段階と、
　第１アンテナ用の共通パイロット信号、第１加重拡散信号、第３加重拡散信号及び第５加重拡散信号を合算して前記第１アンテナに伝達し、第２アンテナ用の共通パイロット信号、第２加重拡散信号、第４加重拡散信号及び第６加重拡散信号を合算して前記第２アンテナに伝達する段階と、を行い、
　前記第１及び第２加重値は、前記移動局から伝送された帰還情報から復号化した部分加重値情報のうち複数の直近の部分加重値情報を組み合わせて得られることを特徴とする請求項１２または１３に記載の移動通信システムで高速物理下向き共有チャンネルの伝送アンテナアレイを制御する方法。
【請求項２０】
　前記第２ないし第ｋ基地局では、
　各々ＤＰＣＨ信号、第２拡散信号、及び第１及び第２加重値を利用して第３及び第４加重拡散信号を生成する段階と、
　第１アンテナ用の共通パイロット信号及び前記第３加重拡散信号を合算して前記第１アンテナに伝達し、第２アンテナ用の共通パイロット信号及び前記第４加重拡散信号を合算して前記第２アンテナに伝達する段階と、を行い、
　前記第１及び第２加重値は、前記移動局から伝送された帰還情報から復号化した部分加重値情報のうち複数の直近の部分加重値情報を組み合わせて得られることを特徴とする請求項１９に記載の移動通信システムで高速物理下向き共有チャンネルの伝送アンテナアレイを制御する方法。
【請求項２１】
　請求項１１ないし２０のうち何れか一項に記載の方法をコンピュータに実行させるプログラムを記録したコンピュータで読取り可能な記録媒体。
【発明の詳細な説明】
【技術分野】
【０００１】
　本発明は移動通信システムに係り、特に、移動通信システムのソフトハンドオーバー状況を考慮するために専用物理チャンネル（ＤＰＣＨ：Dedicated Physical Channel）と共存する高速物理下向き共有チャンネルのための伝送アンテナアレイを制御する装置及び方法に関する。
【背景技術】
【０００２】
　一般的に、第３世代移動通信方式の一つの非同期移動通信方式システムであるＷＣＤＭＡ（Wideband CDMA）システムで使用する高速物理下向き共有チャンネル（High Speed Physical Downlink Shared CHannel、以下“ＨＳ−ＰＤＳＣＨ”と称する）は、多数の使
用者あるいは端末機（User Equipment：ＵＥ）が共有するチャンネルである。すなわち、ＨＳ−ＰＤＳＣＨは、２ｍｓラジオ副フレーム単位で端末機にパケットデータを送信するために割当てられるチャンネルであって、多数の端末機が共通的に使用するチャンネルである。前記ＨＳ−ＰＤＳＣＨは、フレーム単位に伝送するデータの伝送率を異にでき、ＷＣＤＭＡ方式で基地局（Ｎｏｄｅ　Ｂ）と端末機間に設定される専用チャンネル（Dedicated Channel：ＤＣＨ）と同様に、スロット単位で伝送アンテナアレイの加重値調節が可能なチャンネルである。ここで、ラジオ副フレームは、ＷＣＤＭＡ方式で高速パケット信号を伝送する単位であって、その長さは２ｍｓであり、一つのラジオフレーム内に５つが存在する。ラジオフレームは、ＷＣＤＭＡ方式で信号を伝送する基本単位であって、その長さは１０ｍｓであり、１５個のスロットが集まって一つのラジオフレームを構成する。
【０００３】
　また、ＨＳ−ＰＤＳＣＨは、純粋に使用者データだけ伝送するチャンネルであり、ＨＳ−ＰＤＳＣＨの加重値制御のためにはＨＳ−ＰＤＳＣＨが端末機に割当てられる時、これと同時に下向き専用物理チャンネル（Downlink Dedicated Physical CHannel、以下“Ｄ
Ｌ−ＤＰＣＨ”と称する）を前記端末機に割当て、前記ＤＬ−ＤＰＣＨは前記ＨＳ−ＰＤ
ＳＣＨの加重値制御のためのチャンネルとなる。前記ＨＳ−ＰＤＳＣＨ伝送は、一つの端末機あるいは使用者に連続的に多数の副フレーム又は一つの副フレーム間に行なわれる。また、色々な端末機に前記フレームをいつ伝送するかについては、上位階層のスケジューリングによって決定され、当該ＨＳ−ＰＤＳＣＨに相応する高速共有制御物理チャンネル（High Speed Shared Control Physical CHannel、以下“ＨＳ−ＳＣＣＨ”と称する）を
利用して端末機に決定された事実を知らせる。
【０００４】
　現在までＨＳ−ＰＤＳＣＨ、ＨＳ−ＳＣＣＨ、そしてＤＬ−ＤＰＣＨの運用方法は、３ＧＰＰ標準化機構で作った非特許文献１に詳細に開示されており、その文書は３ＧＰＰ標準化機構の正式文書提供処であるｗｗｗ.３ｇｐｐ.ｏｒｇにある。
【０００５】
【非特許文献１】ＴＳＧ−ＲＡＮ　ＷＧ１　Ｓｐｅｃ　番号　２５.２１４（３ＧＰＰ　ＴＳ　２５.２１４）
【発明の開示】
【発明が解決しようとする課題】
【０００６】
　本発明が解決しようとする技術的課題は、移動局が第１基地局ないし第ｋ基地局とソフトハンドオーバーする状況を考慮するために、ソフトハンドオーバー地域にある全体基地局のチャンネル特性を同一に考慮して求めた加重値とＨＳ−ＰＤＳＣＨの伝送状況とを考慮してＨＳ−ＰＤＳＣＨを伝送する基地局のチャンネル特性を他の基地局からのチャンネル特性よりさらに強調して求めた加重値のうち何れか一つを移動局への高速パケットデータ伝送の如何によって切り換えて基地局に伝送させる移動通信システムでＨＳ−ＰＤＳＣＨの伝送アンテナアレイを制御する装置及び方法を提供することである。
【課題を解決するための手段】
【０００７】
　前記技術的課題を達成するための本発明による移動通信システムでＨＳ−ＰＤＳＣＨの伝送アンテナアレイを制御する装置は、移動局が第１基地局ないし第ｋ基地局とソフトハンドオーバーする状況を考慮するために、前記第１基地局から前記移動局に専用物理チャンネルと共存する高速物理下向き共有チャンネルのための伝送アンテナアレイを制御する装置において、前記移動局が前記第１ないし第ｋ基地局のチャンネル特性を同一に考慮して第１部分加重値を求める第１部分加重値生成手段と、前記第１基地局のチャンネル特性を第２ないし第ｋ基地局からのチャンネル特性よりさらに強調して第２部分加重値を求める第２部分加重値生成手段と、前記移動局への高速パケットデータ伝送の如何によって前記第１または第２部分加重値を切換えて帰還情報として前記第１ないし第ｋ基地局に伝送する切換部と、を含む。
【０００８】
　前記技術的課題を達成するための本発明による移動通信システムでＨＳ−ＰＤＳＣＨの伝送アンテナアレイを制御する方法は、移動局が第１基地局ないし第ｋ基地局とソフトハンドオーバーする状況を考慮するために、前記第１基地局から前記移動局に専用物理チャンネルと共存する高速物理下向き共有チャンネルのための伝送アンテナアレイを制御する方法において、前記移動局で前記第１ないし第ｋ基地局のチャンネル特性を同一に考慮して第１部分加重値を求める段階と、前記第１基地局のチャンネル特性を第２ないし第ｋ基地局からのチャンネル特性よりさらに強調して第２部分加重値を求める段階と、前記移動局への高速パケットデータの伝送の如何によって前記第１または第２部分加重値を切換えて帰還情報として前記第１ないし第ｋ基地局に伝送する段階と、を含む。
【０００９】
　前記方法は、コンピュータで前記方法を実行させるためのプログラムとして構成し、これを記録したコンピュータで読み取れる記録媒体で具現するのが望ましい。
【発明の効果】
【００１０】
　本発明によれば、移動局が第１ないし第ｋ基地局とソフトハンドオーバーする状況を考慮するために、ソフトハンドオーバー地域にある全体基地局のチャンネル特性を同一に考慮して求めた第１加重値とＨＳ−ＰＤＳＣＨとを伝送する基地局のチャンネル特性を他の基地局からのチャンネル特性よりさらに強調して求めた第２加重値のうち何れか一つを当該移動局への高速パケットデータの伝送の如何によって切換えて帰還情報として基地局に伝送するように制御することによって、当該移動局に高速パケットデータが伝送される場合、第１加重値とは差別化された第２加重値を選択して伝送アンテナ加重値として適用できる。その結果、移動通信方式システムによりソフトハンドオーバー領域で高速パケットが伝送される間、移動局でアンテナ加重値計算時、専用チャンネルＤＰＣＨに比べてこれより高速であるパケットチャンネルＨＳ−ＰＤＳＣＨまたはＨＳ−ＳＣＣＨを有する無線リンクを強調することによって最適の伝送アンテナダイバーシティ利得を通じたより信頼性のある送信をできる。
【発明を実施するための最良の形態】
【００１１】
　次いで、添付された図面を参照して本発明の望ましい実施例について詳細に説明する。
　図１は、本発明による移動通信システムの概略的なブロック図であって、ソフトハンドオーバー地域にある、すなわち、ソフトハンドオーバーする可能性のある第１ないし第ｋ基地局１１，１３，１５と移動局１７とで構成される。第１ないし第ｋ（ここで、Ｋは２以上である正の整数）基地局１１，１３，１５は、各々相同する機能を行う。本発明によれば、各基地局１１，１３，１５が有するアンテナ数は２以上である。
【００１２】
　図２は、図１に示された移動局１７の本発明による一実施例の構成を示すブロック図であって、アンテナ２１０、チャンネル特性測定部２２０、乗算部２３０、合算部２４０、加重値生成部２５０、切換部２６０、パケット受信指示子検出部２７０、及び情報帰還部２８０で構成される。また、チャンネル特性測定部２２０は、第１ないし第ｋチャンネル特性測定器２２１，２２３，２２５で、乗算部２３０は第１ないし第ｋ乗算器２３１，２３３，２３５で、合算部２４０は第１及び第２合算器２４１，２４３で、加重値生成部２５０は第１及び第２加重値生成器２５１，２５３で各々構成される。
【００１３】
　前記のように構成された移動局１７の動作を説明すれば、次の通りである。
　アンテナ２１０は、第１ないし第ｋ基地局１１，１３，１５から伝送されたパイロット信号、ＤＬ−ＤＰＣＨ情報、ＨＳ−ＰＤＳＣＨ情報、そしてＨＳ−ＳＣＣＨ情報を受信する。ここで、第１基地局１１からＨＳ−ＰＤＳＣＨが伝送されると設定する。
【００１４】
　チャンネル特性測定部２２０において、第１ないし第ｋチャンネル特性測定器２２１，２２３，２２５は、第１ないし第ｋ基地局１１，１３，１５から伝送されてアンテナ２１０を通じて受信されたパイロット信号からチャンネル特性Ｈ（ｋ）を測定し、測定されたチャンネル特性Ｈ（ｋ）を乗算部２３０の第１ないし第ｋ乗算器２３１，２３３，２３５と合算部２４０の第１合算器２４１とに各々出力する。ここで、チャンネル特性Ｈ（ｋ）のｋは、各チャンネル特性測定器２２１，２２３，２２５で測定している基地局の番号と同じである。
【００１５】
　乗算部２３０において、第１乗算器２３１は、第１チャンネル特性測定器２２１で測定されたチャンネル特性Ｈ（１）を第１乗算係数倍、すなわち、α倍し、その結果であるαＨ（１）を第２合算器２４３に出力する。第２ないし第ｋ乗算器２３３，．．．，２３５は、第２ないし第ｋチャンネル特性測定器２２３，２２５で測定されたチャンネル特性Ｈ（２），．．．，Ｈ（Ｋ）を各々第２乗算係数倍、すなわち、（１−α）倍し、その結果である（１−α）Ｈ（２），．．．，（１−α）Ｈ（ｋ）を第２合算器２４３に出力する。ここで、ＨＳ−ＰＤＳＣＨが伝送される第１基地局１１のチャンネル特性に乗算される第１乗算係数は第２ないし第ｋ基地局１３，．．．，１５のチャンネル特性に乗算される第２乗算係数より大きい値である。すなわち、第１乗算係数は、１と同じであるか、または小さな値であり、例えばα＝０.７である場合、ＤＰＣＨは少しだけ劣化させつつＰＤＳＣＨ性能は向上させうる。
【００１６】
　合算部２４０において、第１合算器２４１は第１ないし第ｋチャンネル特性測定器２２１，２２３，．．．，２２５から入力されたチャンネル特性Ｈ（１），Ｈ（２），．．．，Ｈ（Ｋ）を下記の数式１のように内積した後に合算し、合算した結果である第１中間値Ｒ1を加重値生成部２５０の第１加重値生成器２５１に出力する。すなわち、第１中間値Ｒ1は、ソフトハンドオーバー状況にある全体基地局のチャンネル特性を同一に考慮して求められる。
【００１７】
【数１】
2004135339.tif 000003
【００１８】
　一方、第２合算器２４３は、第１ないし第ｋ乗算器２３１，２３３，．．．，２３５から提供されるチャンネル特性αＨ（１），（１−α）Ｈ（２），．．．，（１−α）Ｈ（Ｋ）を下記の数式２のように内積した後に合算し、合算した結果である第２内積合算値Ｒ2を加重値生成部２５０の第２加重値生成器２５３に出力する。すなわち、第２中間値Ｒ2は、ＨＳ−ＰＤＳＣＨを伝送する第１基地局１１のチャンネル特性を他の基地局１３，１５からのチャンネル特性よりさらに強調して求められる。
【００１９】
【数２】
2004135339.tif 000004
【００２０】
　加重値生成部２５０において、第１加重値生成器２５１は、以前に求めた第１部分加重値ベクトルと第１合算器２４１に入力された第１中間値Ｒ1を利用して現在の第１部分加重値ベクトルΔＷ1とを求め、求めた現在の第１部分加重値ベクトルΔＷ1を切換部２６０に供給する。一方、第２加重値生成器２５３は、以前に求めた第２部分加重値ベクトルと第２合算器２４３に入力された第２中間値Ｒ2を利用して現在の第２部分加重値ベクトルΔＷ2を求め、求めた現在の第２部分加重値ベクトルΔＷ2を切換部２６０に供給する。
【００２１】
　第１及び第２加重値生成器２５１，２５３で加重値を求める方法は、前述した非特許文献１に詳細に記述されており、特に、本発明の図２のように以前に求めた加重値情報を利用する差分的方法を利用する。したがって、全体加重値Ｗ情報全体を１００％とすれば、以前まで求めてきた加重値情報を７５％は維持した状態で２５％だけ部分加重値ベクトルΔＷで新たに求める。但し、７５％、２５％の比率はスペックでｍｏｄｅ２に対する比率であり、ｍｏｄｅ１は各々５０％、５０％である。
【００２２】
　ここで、切換部２６０から出力される加重値情報は、全体加重値ではなく部分加重値である。すなわち、移転加重値情報の７５％（または５０％）を利用して新たな加重値を求めるために以前加重値情報にエラーが発生したり誤った情報が以前加重値情報と認識されて入れば、加重値の生成にエラーを招くことを周知させうる。
【００２３】
　切換部２６０は、第１加重値生成器２５１から入力された第１部分加重値ベクトルΔＷ1と第２加重値生成器２５３から入力された第２部分加重値ベクトルΔＷ2のうちパケット受信指示子検出部２７０の切換制御信号によって一つを選択し、その選択した結果ΔＷを情報帰還部２８０に出力する。
【００２４】
　パケット受信指示子検出部２７０は、アンテナ２１０から受信される信号から当該移動局１７に高速パケットが伝送されるという信号、すなわち、パケット受信指示子を検出する。パケット受信指示子検出部２７０がパケット受信指示子を受信すれば、その高速パケットが伝送されることを知った時点から高速パケットの伝送終了時点までΔＷ2を選択させる切換制御信号が発生し、それともΔＷ1を選択させる切換制御信号を発生する。
【００２５】
　このように互いに独立的に求めた第１または第２部分加重値ベクトルを状況によって切り換えて伝達する理由は、一回生成されて一回伝送される情報に全体加重値情報の一部が入っているためである。これは、任意の一回に生成される加重値情報は、現在測定した基地局と移動局間のチャンネル特性及び以前何回まで既伝送された情報を通じて差分方法を通じて作られるためである。
【００２６】
　情報帰還部２８０は、切換部２６０から提供される部分加重値ベクトルΔＷを帰還情報としてアンテナ２１０を通じて基地局１１，１３，．．．，１５に伝送する。
【００２７】
　前記実施例において、切換部２６０は、移動局１７が第１ないし第ｋ基地局１１，１３，．．．，１５とソフトハンドオーバー状況に対備して高速パケットデータの受信如何によって第１または第２部分加重値を切換えて出力する。また、他の例として、ソフトハンドオーバー状況であり、高速パケットデータの受信如何によって第１または第２部分加重値を切換えて出力する。
【００２８】
　図３は、図１に示された第１基地局１１の本発明による一実施例の構成を示すブロック図である。図１において、他の基地局である第２ないし第ｋ基地局１３，．．．，１５は、第１基地局１１に比べてＨＳ−ＳＣＣＨ伝送部３１０及びＨＳ−ＰＤＳＣＨ伝送部３３０がなくＤＰＣＨ伝送部３２０だけあることを除いては、第１基地局１１と同一に構成され、また同じ原理で動作する。
【００２９】
　このように第１基地局１１と第２ないし第ｋ基地局１３，．．．，１５とに差をおく理由は、ＤＰＣＨがソフトハンドオーバーする間にも、ＨＳ−ＰＤＳＣＨとＨＳ−ＳＣＣＨとは高速パケットを伝送するためにハードハンドオーバーすることを強調するためである。したがって、図３で分かるように、ソフトハンドオーバーするＤＰＣＨとハードハンドオーバーするＨＳ−ＰＤＳＣＨ及びＨＳ−ＳＣＣＨとが相異なるチャンネル経路に伝送される特性があるが、同じ加重値を適用するため、移動局１７でこれについて正しく考慮することが望ましい。
【００３０】
　一方、図３に示された基地局は、前述した非特許文献１を参照した図面として、当該スペックにその運用方法が詳細な説明と共に開示されているため、ここでは本発明と関連して改善された部分だけ重点的に説明する。
【００３１】
　図３を参照すれば、基地局１１は、ＨＳ−ＳＣＣＨ伝送部３１０、ＤＰＣＨ伝送部３２０、ＨＳ−ＰＤＳＣＨ伝送部３３０、合算部３４０、アンテナ部３５０、加重値復号部３６０及び加重値再生部３７０よりなる。また、ＨＳ−ＳＣＣＨ伝送部３１０は、第１拡散用乗算器３１１と第１及び第２加重値用乗算器３１３，３１５とで、ＤＰＣＨ伝送部３２０は第２拡散用乗算器３２１と第３及び第４加重値用乗算器３２３，３２５とで、ＨＳ−ＰＤＳＣＨ伝送部３３０は第３拡散用乗算器３３１と第５及び第６加重値用乗算器３３３，３３５とで各々構成される。また、合算部３４０は、第１及び第２合算器３４１，３４３で、アンテナ部３５０は第１及び第２アンテナ３５１，３５３で各々構成される。
【００３２】
　前記のように構成された基地局１１の動作を説明すれば、次の通りである。
　ＨＳ−ＳＣＣＨ伝送部３１０において、第１拡散用乗算器３１１は、ＨＳ−ＳＣＣＨ信号に第１拡散信号Ｓｐｒｅａｄ／Ｓｃｒａｍｂｌｅを乗算し、乗算した結果を第１及び第２加重値用乗算器３１３，３１５に供給する。第１加重値用乗算器３１３は、第１拡散用乗算器３１１から提供された信号に第１加重値ベクトルＷ1を乗算し、乗算した結果であるＨＳ−ＳＣＣＨ用の第１加重拡散信号を第１合算器３４１に供給する。第２加重値用乗算器３１５は、第１拡散用乗算器３１１から提供された信号に第２加重値ベクトルＷ2を乗算し、乗算した結果であるＨＳ−ＳＣＣＨ用の第２加重拡散信号を第２合算器３４３に供給する。
【００３３】
　ＤＰＣＨ伝送部３２０において、第２拡散用乗算器３２１は、ＤＰＣＨ信号に第２拡散信号Ｓｐｒｅａｄ／Ｓｃｒａｍｂｌｅを乗算し、乗算した結果を第３及び第４加重値用乗算器３２３，３２５に供給する。第３加重値用乗算器３２３は、第２拡散用乗算器３２１から提供された信号に第１加重値ベクトルＷ1を乗算し、乗算した結果であるＤＰＣＨ用の第１加重拡散信号を第１合算器３４１に供給する。第４加重値用乗算器３２５は、第２拡散用乗算器３２１から提供された信号に第２加重値ベクトルＷ2を乗算し、乗算した結果であるＤＰＣＨ用の第２加重拡散信号を第２合算器３４３に供給する。
【００３４】
　ＨＳ−ＰＤＳＣＨ伝送部３３０において、第３拡散用乗算器３３１は、ＨＳ−ＰＤＳＣＨ信号に第３拡散信号Ｓｐｒｅａｄ／Ｓｃｒａｍｂｌｅを乗算し、乗算した結果を第５及び第６加重値用乗算器３３３，３３５に供給する。第５加重値用乗算器３３３は、第３拡散用乗算器３３１から提供された信号に第１加重値ベクトルＷ1を乗算し、乗算した結果であるＨＳ−ＰＤＳＣＨ用の第１加重拡散信号を第１合算器３４１に供給する。第６加重値用乗算器３３５は、第３拡散用乗算器３３１から提供された信号に第２加重値ベクトルＷ2を乗算し、乗算した結果であるＨＳ−ＰＤＳＣＨ用の第２加重拡散信号を第２合算器３４３に供給する。
【００３５】
　合算部３４０において、第１合算器３４１は、第１アンテナ３５１用の共通パイロット信号であるＣＰＩＣＨ1と、第１、第３及び第５乗算器３１３，３２３，３３３から入力された加重拡散信号とを合算し、合算した結果を、第１アンテナ３５１を通じて移動局１７に伝送する。一方、第２合算器３４３は、第２アンテナ３５３用の共通パイロット信号であるＣＰＩＣＨ2と、第２、第４及び第６乗算器３１５，３２５，３３５から入力された加重拡散信号とを合算し、合算した結果を、第２アンテナ３５３を通じて移動局１７に伝送する。
【００３６】
　加重値復号部３６０は、移動局１７から伝送される帰還情報から部分加重値情報を復号し、復号した部分加重値ΔＷを加重値再生部３７０に伝達する。ここで、帰還情報は、上向き専用物理制御チャンネルの帰還情報であることが望ましい。
【００３７】
　加重値再生部３７０は、加重値復号部３６０から入力された復号した部門加重値ベクトルΔＷの最近幾つかを組み合わせて加重値ベクトルＷを生成する。図３の一実施例のように基地局１１が２つのアンテナを使用する場合、Ｗ＝［Ｗ1Ｗ2］Tに示せる。非特許文献１によく開示されているが、ｍｏｄｅ１の場合には最近二つの部分加重値ベクトルを利用して組み合わせ、ｍｏｄｅ２の場合は最近４つの部分加重値ベクトルを利用して組み合わせることが一般的な方法である。ここで、組み合わせ方法は、２真法に基づいてケタを合せて組み合わせる。したがって、ｍｏｄｅ１の場合、Ｗ（ｔ）＝ΔＷ（ｔ）＋ΔＷ（ｔ−１）のような原理である。
【００３８】
　要約すれば、パケットチャンネルＰＤＳＣＨ，ＨＳ−ＰＤＳＣＨまたはＨＳ−ＳＣＣＨは、閉帰還伝送ダイバーシティが適用される専用チャンネルＤＰＣＨと連結される場合、パケットチャンネルＰＤＳＣＨ，ＨＳ−ＰＤＳＣＨ及びＨＳ−ＳＣＣＨ各々に適用されるアンテナ加重値は、連結された専用チャンネルＤＰＣＨに適用されるアンテナ加重値と同じである。パケットチャンネルＰＤＳＣＨ，ＨＳ−ＰＤＳＣＨまたはＨＳ−ＳＣＣＨがソフトハンドオーバーする専用チャンネルＤＰＣＨと連結される場合、移動局は、アンテナ加重値計算時、パケットチャンネルＰＤＳＣＨ，ＨＳ−ＰＤＳＣＨまたはＨＳ−ＳＣＣＨを有する無線リンクを強調できる。
【００３９】
　前述した本発明は、また、コンピュータで読取れる記録媒体に記録したコンピュータが読取り可能なコードとして具現できる。コンピュータが読取り可能な記録媒体は、コンピュータシステムによって読取られるデータが保存される全ての種類の記録装置を含む。コンピュータが読取れる記録媒体の例には、ＲＯＭ、ＲＡＭ、ＣＤ−ＲＯＭ、磁気テープ、フロッピーディスク、光データ保存装置などがあり、またキャリヤウェーブ（例えば、インターネットを通した伝送）状に具現されるものも含む。また、コンピュータが読取り可能な記録媒体は、ネットワークで連結されたコンピュータシステムに分散され、分散方式でコンピュータが読取り可能なコードが保存され、実行されうる。そして、本発明を具現するための機能的なプログラム、コード及びコードセグメントは、本発明が属する技術分野のプログラマーによって容易に推論されうる。
【００４０】
　本発明について前記実施例を参考して説明したが、これは例示的なものに過ぎず、当業者ならば、これから多様な変形及び均等な他の実施例が可能であることが分かる。よって、本発明の真の技術的保護範囲は、特許請求の範囲の技術的思想によって決まらなければならない。
【産業上の利用可能性】
【００４１】
　本発明は非同期移動通信方式システムであるＷＣＤＭＡシステムに適用され、ソフトハンドオーバー領域を考慮するために移動局に高速パケットが伝送される間、移動局でアンテナ加重値計算時、専用チャンネルＤＰＣＨに比べてこれより高速であるパケットチャンネルＨＳ−ＰＤＳＣＨまたはＨＳ−ＳＣＣＨを有する無線リンクを強調することによって最適のダイバーシティ利得を得ることができる。
【図面の簡単な説明】
【００４２】
【図１】本発明による移動通信システムの概略的なブロック図である。
【図２】図１に示された移動局の一実施例の構成を示すブロック図である。
【図３】図１に示された基地局の一実施例の構成を示すブロック図である。
【符号の説明】
【００４３】
　１１　第１基地局
　１３　第２基地局
　１５　第ｋ基地局
　１７　移動局                                                                                
【図１】
2004135339.tif 000005
【図２】
2004135339.tif 000006
【図３】
2004135339.tif 000007